(57)【要約】【課題】電源コードをコード引き出し口と反対側に引き廻しても、電源コードがベースに触れたり、作業性が悪くなることの無いコードレスアイロンを提供する。【解決手段】給電端子（図示せず）を後部に有するアイロン本体（図示せず）と、アイロン本体が載置されるスタンド１０とスタンド裏蓋１１を有する載置台６から構成され、載置台６は、アイロン本体の前部下方に位置する部分に内蔵され、給電端子と接続される給電部に接続された電源コード８を巻き取るコードリール（図示せず）と、電源コード８のプラグ１４を位置決めするコード引き出し口１３とを備え、コード引き出し口１３の外側に、電源コード８をコード引き出し口１３と反対側に引き回す時に、それを入れる隙間１６を設け、隙間１６の一部に、スタンド裏蓋１１方向に突起１７を突設し、突起１７の先端とスタンド裏蓋１１上面との距離を電源コード８の厚みと同程度にした。【選択図】図１
2008295496.tif 000002
【特許請求の範囲】
【請求項１】
ヒータを有し、かつ前記ヒータに電気的に接続された給電端子を後部に配置したアイロン本体と、前記アイロン本体が載置されるスタンドと前記スタンドの下方開口を覆うスタンド裏蓋を有する載置台から構成され、前記載置台は、前記給電端子と電気的に接続される給電部と、前記アイロン本体の前部下方に位置する部分に内蔵され、前記給電部に電気的に接続された電源コードを巻き取り収納するコードリールと、前記スタンドと前記スタンド裏蓋で形成され前記電源コードのプラグを位置決めするコード引き出し口とを備え、前記コード引き出し口の外側に、前記スタンド裏蓋と前記スタンドとで形成され前記電源コードが入る隙間を設けるとともに、この隙間の一部に、前記スタンドから前記スタンド裏蓋方向に突起を突設し、前記突起の先端と前記スタンド裏蓋上面との距離を前記電源コードの厚みと同程度にしたコードレスアイロン。
【請求項２】
突起に、コード引き出し口側から後方に向かって傾斜した傾斜面を設けた請求項１に記載のコードレスアイロン。
【発明の詳細な説明】
【技術分野】
【０００１】
本発明は、衣類等のしわ伸ばしを行うコードレスアイロンに関するものである。
【背景技術】
【０００２】
従来、この種のコードレスアイロンは、後部に給電端子を有するアイロン本体と、アイロン本体が載置されると共に、給電端子に電気的に接続される給電部を有する載置台から構成され、アイロン本体前部下方の載置台内部にコードリールを取り付け、コードリール周囲で載置台の給電部側と反対側の位置にコード引き出し口を形成させており、コード引き出し口周囲はスタンドとスタンド裏蓋で形成しており、コード引き出し口の外側に特にコードを保持する構成を設けていなかった（例えば、特許文献１参照）。
【０００３】
以下、図３〜５を用いて、上記特許文献１に記載された従来のコードレスアイロンについて説明する。図３は、上記従来のコードレスアイロンの部分断面図、図４は、同コードレスアイロンのスタンド部を取り除いた載置台の上面図、図５は、同コードレスアイロンでのコード引き出し部の部分斜視図である。
【０００４】
図３〜５において、従来のコードレスアイロンは、アイロン本体３と、アイロン本体３を載置する載置台６から構成され、アイロン本体３は、ヒータ１を内蔵したベース２を有し、後部に給電端子４が設けられている。
【０００５】
載置台６は、アイロン本体３が載置されるスタンド１０と、スタンド１０の下方開口１０ａを覆うスタンド裏蓋１１を有すると共に、給電端子４に電気的に接続される給電部５が取り付けられている。載置台６の、アイロン本体３が載置台６に載置されたときアイロン本体３の前部下方に位置する部分の内部には、電源コード８を巻き取り収納するコードリール７が設けられており、その電源コード８は、リード線９を介して前記給電部５に電気的に接続されている。
【０００６】
給電部５と、コードリール７は、スタンド１０と、スタンド裏蓋１１とで覆われており、給電端子４と対向する給電部５の周囲は、アイロン本体３が載置されていない状態では、可動するシャッター１２で遮蔽されている。
【０００７】
電源コード８を引き出すためのコード引き出し口１３は、スタンド１０と、スタンド裏蓋１１とで形成されると共に、給電部５側と反対側の位置で、しかもコードリール７の外側に位置しており、電源コード８のプラグ１４が、コード引き出し口１３で止まり載置台６の内部に入らないように、ストッパー１５を取り付けている。コード引き出し口１３の外側周囲はスタンド１０およびスタンド裏蓋１１で覆われている。
【特許文献１】特許第２６０５４０８号公報
【発明の開示】
【発明が解決しようとする課題】
【０００８】
しかしながら、上記従来のコードレスアイロンの載置台６の構成では、図４、図５に示すように、電源コード８をコードリール７から引き出して、プラグ１４を家庭内にあるコンセント（図示せず）に差し込む場合、コンセントの位置がコード引き出し口１３側と反対方向の場合、電源コード８がアイロン本体３のベース２の先端部付近にくるため、アイロン本体３を載置台６に着脱する時に電源コード８が邪魔になり作業性が悪いという課題があった。
【０００９】
また、電源コード８が、ベース２の先端部に接触することもあり、アイロン掛けをする作業者が、電源コード８がベース２に接触しないようにコード８の配置を考慮せねばならなかった。
【００１０】
また、上記の課題をなくすためには、コード引き出し口１３を給電部５側に位置させれば良いのであるが、給電部５の横に取り付けた場合、載置台６の幅が大きくなりコードレスアイロンの収納性、持ち運び性など使い勝手の悪いものとなる難点があった。
【００１１】
本発明は、前記従来の課題を解決するもので、電源コードをコード引き出し口側と反対方向に引き回す場合でも、電源コードがアイロン本体のベースに接触したり、アイロン本体の載置台への着脱作業性が悪くなることの無い、使用勝手の良いコードレスアイロンを提供することを目的とする。
【課題を解決するための手段】
【００１２】
上記従来の課題を解決するために、本発明のコードレスアイロンは、ヒータを有し、かつ前記ヒータに電気的に接続された給電端子を後部に配置したアイロン本体と、前記アイロン本体が載置されるスタンドと前記スタンドの下方開口を覆うスタンド裏蓋を有する載置台から構成され、前記載置台は、前記給電端子と電気的に接続される給電部と、前記アイロン本体の前部下方に位置する部分に内蔵され、前記給電部に電気的に接続された電源コードを巻き取り収納するコードリールと、前記スタンドと前記スタンド裏蓋で形成され前記電源コードのプラグを位置決めするコード引き出し口とを備え、前記コード引き出し口の外側に、前記スタンド裏蓋と前記スタンドとで形成され前記電源コードが入る隙間を設けるとともに、この隙間の一部に、前記スタンドから前記スタンド裏蓋方向に突起を突設し、前記突起の先端と前記スタンド裏蓋上面との距離を前記電源コードの厚みと同程度にしたもので、電源コードをコード引き出し口と反対側方向に引き回す場合でも、この隙間に電源コードを入れておくことにより、電源コードが、アイロン本体のベースの前部付近に上がって、ベースと接触するのを防止すると共に、アイロン本体を載置台に着脱する時、作業性が悪くならないようにすることが出来る。また、突起の先端とスタンド裏蓋との間の距離を、電源コードの厚みと同程度にしているため、使用中に電源コードが、簡単にコード引き出し口側に戻ることもない。
【発明の効果】
【００１３】
本発明のコードレスアイロンは、プラグをコンセントに差し込む位置がコード引き出し口側と反対方向にある場合でも、電源コードがアイロン本体のベースの先端部に接触したり、アイロン本体を載置台に着脱させる場合に電源コードが邪魔になることの無い、使用勝手の良いものである。
【発明を実施するための最良の形態】
【００１４】
第１の発明は、ヒータを有し、かつ前記ヒータに電気的に接続された給電端子を後部に配置したアイロン本体と、前記アイロン本体が載置されるスタンドと前記スタンドの下方開口を覆うスタンド裏蓋を有する載置台から構成され、前記載置台は、前記給電端子と電気的に接続される給電部と、前記アイロン本体の前部下方に位置する部分に内蔵され、前記給電部に電気的に接続された電源コードを巻き取り収納するコードリールと、前記スタンドと前記スタンド裏蓋で形成され前記電源コードのプラグを位置決めするコード引き出し口とを備え、前記コード引き出し口の外側に、前記スタンド裏蓋と前記スタンドとで形成され前記電源コードが入る隙間を設けるとともに、この隙間の一部に、前記スタンドから前記スタンド裏蓋方向に突起を突設し、前記突起の先端と前記スタンド裏蓋上面との距離を前記電源コードの厚みと同程度にしたもので、電源コードをコード引き出し口と反対側方向に引き回す場合でも、この隙間に電源コードを入れておくことにより、電源コードが、アイロン本体のベースの前部付近に上がって、ベースと接触するのを防止すると共に、アイロン本体を載置台に着脱する時、作業性が悪くならないようにすることが出来る。また、突起の先端とスタンド裏蓋との間の距離を、電源コードの厚みと同程度にしているため、使用中に電源コードが、簡単にコード引き出し口側に戻ることもない。
【００１５】
第２の発明は、特に、第１の発明の突起に、コード引き出し口側から後方に向かって傾斜した傾斜面を設けたもので、電源コードを容易に隙間内に入れることが出来る。
【００１６】
以下、本発明の実施の形態について、図面を参照しながら説明する。なお、この実施の形態によって本発明が限定されるものではない。
【００１７】
（実施の形態１）
図１は、本発明の実施の形態１におけるコードレスアイロンのコード引き出し口部の斜視図である。尚、上記従来のコードレスアイロンと同一部分については、同一符号を付してその説明を省略する。
【００１８】
本実施の形態におけるコードレスアイロンは、図１に示すように、コード引き出し口１３を、スタンド１０とスタンド裏蓋１１で構成すると共に、このコード引き出し口１３の前方外側に、スタンド１０とスタンド裏蓋１１で形成した隙間１６を設け、この隙間１６の一部に、スタンド１０から下方に、すなわちスタンド裏蓋１１方向に突起１７を突設し、この突起１７の先端部１８と、スタンド裏蓋１１の上面との距離を、電源コード８の厚みと同程度としたものである。
【００１９】
以上のように構成されたコードレスアイロンの動作、作用を説明する。
【００２０】
電源コード８を載置台６から引き出す場合、コード引き出し口１３にあるプラグ１４をコード引き出し口１３方向に沿って引き出す。この時、プラグ１４を差し込む電源コンセントがコード引き出し口１３方向の延長線上の方向にあれば、電源コード８を引き出した状態でコンセントに接続させることが出来る。
【００２１】
しかし、電源コンセントの位置が、コード引き出し口１３の延長線と反対方向にある場合は、電源コード８をコード引き出し口１３の出口から１８０度方向を変えて電源コンセントに接続させなければならない。この場合、電源コード８をコード引き出し口１３の外側にあるスタンド１０とスタンド裏蓋１１間に形成された隙間１６へ入れた後、プラグ１４を電源コンセントに繋ぐようにする。
【００２２】
本実施の形態では、この隙間１６へ電源コード８を入れる際、スタンド１０から下方に突出した突起１７の下をくぐらせて、隙間１６に電源コード８を入れており、しかもこの突起１７の先端部１８とスタンド裏蓋１１上面との距離は、電源コード８の厚みと同程度にしているため、電源コード８が、コード引き出し口１３側に戻ることがなく、また、ベース２に接触することも無く安全である。
【００２３】
図２は、突起１７の他の例を示すもので、スタンド１０から下方に出ている突起１７に、コード引き出し口１３に面した側の面が下方に向かうに従ってコード引き出し口１３から遠ざかるように、すなわち後方に向かって傾斜する傾斜面１９を設け、さらに、突起１７の下端を、傾斜面１９と反対方向で且つ、スタンド裏蓋１１上面と略平行に延設して略Ｌ字状のＬ字型突起２０を設けても良い。なお、このＬ字型突起２０の下面２０ａとスタンド裏蓋１１の上面との間の距離は、図１と同様、電源コード８の厚みと同程度にしている。上記構成により、電源コード８を容易に隙間１６内に入れることが出来る。
【産業上の利用可能性】
【００２４】
以上のように、本発明にかかるコードレスアイロンは、プラグを差し込む電源コンセントがコード引き出し口側と反対方向にある場合でも、電源コードがアイロン本体のベースの先端部に接触したり、アイロン本体を載置台に着脱する場合にも、電源コードが邪魔にならないようにすることが出来るもので、載置台を有するコードレスアイロンに広く適用できる。
【図面の簡単な説明】
【００２５】
【図１】本発明の実施の形態１におけるコードレスアイロンのコード引き出し口部の部分斜視図
【図２】同コードレスアイロンの他の例を示すコード引き出し口部の部分斜視図
【図３】従来のコードレスアイロンの部分断面図
【図４】同コードレスアイロンのスタンド部を取り除いた載置台の上面図
【図５】同コードレスアイロンでのコード引き出し口部の部分斜視図
【符号の説明】
【００２６】
１    ヒータ
３    アイロン本体
４    給電端子
５    給電部
６    載置台
７    コードリール
８    電源コード
１０  スタンド
１１  スタンド裏蓋
１３  コード引き出し口
１４  プラグ
１６  隙間
１７  突起
１８  先端部
１９  傾斜面
【図１】
2008295496.tif 000003
【図２】
2008295496.tif 000004
【図３】
2008295496.tif 000005
【図４】
2008295496.tif 000006
【図５】
2008295496.tif 000007